(57)【特許請求の範囲】
【請求項１】
装置本体の基準方位に基づく方向を示す方向情報を取得する方向取得部と、
当該装置本体に対してログインする閲覧者の識別情報と、前記方向情報と、当該装置本体の表示部に設定する表示画面の表示内容とを対応付けて記憶する記憶部と、
当該装置本体に対する閲覧者の入力操作によるログイン要求を検出すると、前記方向取得部にて前記方向情報を取得し、前記ログイン要求に関わる閲覧者の識別情報に対応付けて前記取得した方向情報を前記記憶部に記憶する記憶制御部と、
前記方向取得部によって当該装置本体の方向情報が取得されると、当該方向情報に対応した前記表示内容を前記記憶部から読み出し、読み出された前記表示内容に前記表示画面を変更する設定部と、
前記表示画面の水平姿勢に対する当該表示画面の傾斜角度を示す姿勢情報を取得する姿勢取得部と、
当該装置本体の方向情報及び識別情報に対応した前記表示内容に前記表示画面を変更する際に、前記姿勢取得部によって取得された前記姿勢情報に基づき、前記傾斜角度が所定閾値以上であるか否かを判定する角度判定部と
を有し、
前記設定部は、
前記角度判定部の判定結果に基づき、特定した閲覧者に応じた表示内容に前記表示画面の表示内容を変更することを特徴とする端末装置。
【請求項２】
前記記憶部は、
前記識別情報に対応する、当該閲覧者の第１の情報及び、当該第１の情報よりも秘匿性の高い当該閲覧者の第２の情報を含む前記表示内容を記憶しておき、
前記設定部は、
前記角度判定部によって前記傾斜角度が前記所定閾値以上でない場合に、前記第１の情報を含む前記表示内容に前記表示画面の表示内容を変更すると共に、前記角度判定部によって前記傾斜角度が前記所定閾値以上の場合に、前記第２の情報を含む前記表示内容に前記表示画面の表示内容を変更することを特徴とする請求項１に記載の端末装置。
【請求項３】
当該装置本体の基準方位に対して略０度、略９０度、略１８０度及び略２７０度の所定の方向情報に対応付けて前記識別情報を前記記憶部に記憶可能とし、
前記設定部は、
前記所定の方向情報の内、隣接する２個の方向情報に関わる閲覧者がログイン中の場合に、前記方向取得部によって前記隣接する２個の方向情報間の中間の方向情報が取得されると、当該隣接する２個の方向情報に関わる閲覧者の情報を含む前記表示内容を前記記憶部から読み出し、読み出された情報を含む前記表示内容に前記表示画面の表示内容を変更することを特徴とする請求項１に記載の端末装置。
【請求項４】
装置本体の基準方位に基づく方向を示す方向情報を取得し、
当該装置本体に対してログインする閲覧者の識別情報と、前記方向情報と、当該装置本体の表示部に設定する表示画面の表示内容とを対応付けて記憶部に記憶し、
当該装置本体に対する閲覧者の入力操作によるログイン要求を検出すると、前記方向情報を取得し、前記ログイン要求に関わる閲覧者の識別情報に対応付けて前記取得した方向情報を前記記憶部に記憶し、
当該装置本体の方向情報が取得されると、当該方向情報に対応した前記表示内容を前記記憶部から読み出し、読み出された前記表示内容に前記表示画面を変更し、
前記表示画面の水平姿勢に対する当該表示画面の傾斜角度を示す姿勢情報を取得し、
当該装置本体の方向情報及び識別情報に対応した前記表示内容に前記表示画面を変更する際に、取得された前記姿勢情報に基づき、前記傾斜角度が所定閾値以上であるか否かを判定し、
判定結果に基づき、特定した閲覧者に応じた表示内容に前記表示画面の表示内容を変更する
処理を端末装置に実行させることを特徴とする表示変更プログラム。
【発明の詳細な説明】
【技術分野】
【０００１】
本発明は、端末装置及び表示変更プログラムに関する。
【背景技術】
【０００２】
例えば、複数の閲覧者が情報を閲覧する技術として、情報を大画面のプロジェクタに映写する技術や、情報を各閲覧者の端末装置に提供する技術等が広く知られている。これらの技術によれば、プロジェクタや各閲覧者の端末装置を使用して、情報を複数の閲覧者で同時に閲覧できる。
【０００３】
また、近年、例えば、Ａ３〜Ａ６サイズの表示画面を備えたタブレット端末等の携帯端末装置が広く普及している。閲覧者は、例えば、１台のタブレット端末を机上に水平姿勢に置く。そして、複数の閲覧者は、１台のタブレット端末を囲んで、当該タブレット端末の表示部に画面表示した情報を同時に閲覧できる。
【先行技術文献】
【特許文献】
【０００４】
【特許文献１】特開平５−１０８５２３号公報
【特許文献２】特開２００９−２５１８９６号公報
【特許文献３】特開２００５−８４９６９号公報
【特許文献４】特開２００７−３２３５６２号公報
【発明の概要】
【発明が解決しようとする課題】
【０００５】
しかしながら、上記タブレット端末等の携帯端末装置では、表示部に表示された情報を複数の閲覧者で閲覧できてしまうため、例えば、個人情報等の秘匿性のある情報の場合、閲覧者毎の情報の秘匿性を確保できていないのが実情である。
【０００６】
一つの側面では、閲覧者毎の情報の秘匿性を確保できる端末装置及び表示変更プログラムを提供することを目的とする。
【課題を解決するための手段】
【０００７】
開示の態様は、表示画面の傾斜角度を示す姿勢情報を取得し、取得した姿勢情報から、表示画面を閲覧可能な閲覧者を特定し、表示画面の表示内容を、特定した閲覧者に応じた表示内容に変更する判定部、を備える。
【発明の効果】
【０００８】
開示の態様では、方向情報に応じた閲覧者毎の情報の秘匿性を確保できる。
【図面の簡単な説明】
【０００９】
【図１】図１は、実施例のタブレット端末の一例を示すブロック図である。
【図２】図２は、タブレット端末の使用態様の一例を示す説明図である。
【図３】図３は、ユーザ管理ＤＢの一例を示す説明図である。
【図４】図４は、ファイル管理ＤＢの一例を示す説明図である。
【図５】図５は、タブレット端末の傾き閾値の一例を示す説明図である。
【図６】図６は、共有画面の一例を示す説明図である。
【図７】図７は、個別画面の一例を示す説明図である。
【図８】図８は、隣接二者の使用態様の一例を示す説明図である。
【図９】図９は、タブレット端末のソフト動作態様の一例を示す説明図である。
【図１０】図１０は、姿勢認識モジュールに関わるタブレット端末の処理動作の一例を示すフローチャートである。
【図１１】図１１は、入出力モジュールに関わるタブレット端末の処理動作の一例を示すフローチャートである。
【図１２】図１２は、ユーザ管理モジュールに関わるタブレット端末の処理動作の一例を示すフローチャートである。
【図１３】図１３は、情報表示プログラムを実行する携帯端末装置を示す説明図である。
【発明を実施するための形態】
【００１０】
以下、図面に基づいて、本願の開示する端末装置及び表示変更プログラムの実施例を詳細に説明する。尚、本実施例により、開示技術が限定されるものではない。また、以下に示す各実施例は、矛盾を起こさない範囲で適宜組み合わせても良い。
【実施例】
【００１１】
図１は、実施例のタブレット端末の一例を示すブロック図である。図１に示すタブレット端末１は、タッチパネル１１と、表示部１２と、表示制御部１３と、加速度センサ１４と、方位センサ１５と、ジャイロセンサ１６と、記憶部１７と、ＣＰＵ（Central  Processing  Unit）１８とを有する。タブレット端末１は、例えば、縦寸法が１９２ｍｍ、横寸法が２７５ｍｍ及び厚さ寸法が１６．２ｍｍのタブレット型の電子機器である。尚、タブレット端末１は、縦仕様又は横仕様で使用できる。図２は、タブレット端末１の使用態様の一例を示す説明図である。縦仕様では、タブレット端末１の短辺１Ａを表示画面の天地とし、横仕様では、タブレット端末１の長辺１Ｂを表示画面の天地とする。
【００１２】
タッチパネル１１は、表示部１２の表示画面上に搭載され、表示部１２に画面表示されたキーに対するタッチ操作を検出する。尚、タッチパネル１１は、例えば、抵抗膜方式、表面弾性波方式、赤外線方式、電磁誘導方式や静電容量方式等を採用しても良い。表示部１２は、各種情報を画面表示すると共に、タッチパネル１１によりタッチ操作が検出される操作キーを画面表示するものである。表示制御部１３は、ＣＰＵ１８の指示に基づき、表示部１２を画面制御する。方位センサ１５は、例えば、タブレット端末１の向きに基づき、タブレット端末１の基準方位を検出する３軸の方位センサである。加速度センサ１４は、例えば、タブレット端末１の動きに基づき、方位センサ１５により検出されたタブレット端末１の基準方位に対するタブレット端末１の方向を示す方向情報を検出する３軸の加速度センサである。更に、加速度センサ１４は、タブレット端末１の動きに基づき、タブレット端末１の傾き、例えば、表示部１２の表示画面の水平姿勢に対する表示画面の傾斜角度を示す姿勢情報を検出する。また、ジャイロセンサ１６は、例えば、タブレット端末１の水平面に対する傾斜角度を示す傾斜角度情報を検出する３軸のジャイロセンサである。尚、方向情報又は傾斜角度情報の検出の際には、加速度センサ１４及びジャイロセンサ１６を併用しても良い。
【００１３】
図２に示すタブレット端末１は、例えば、縦仕様で使用し、机８０上に水平姿勢で配置され、Ａ、Ｂ、Ｃ及びＤの４人の閲覧者に囲まれて使用されるものとする。タブレット端末１の短辺１Ａの地側をタブレット端末１の基準方位とする。尚、図２の例では、タブレット端末１の方向情報はＡ方向とする。Ａ方向は、現在のタブレット端末１の基準方位であるため、当該基準方位に対して略０度である。Ｂ方向は、基準方位に対して略９０度、Ｃ方向は、基準方位に対して略１８０度、Ｄ方向は、基準方位に対して略２７０度である。また、ＡＢ方向は、基準方位に対して略４５度、ＢＣ方向は、基準方位に対して略１３５度、ＣＤ方向は、基準方位に対して略２２５度、ＡＤ方向は、基準方位に対して略３１５度である。
【００１４】
記憶部１７は、各種情報を記憶すると共に、ユーザ管理ＤＢ２１及びファイル管理ＤＢ２２を記憶する。図３は、ユーザ管理ＤＢ２１の一例を示す説明図である。図３に示すユーザ管理ＤＢ２１は、ユーザアカウント２１Ａと、ログイン登録時の方向情報２１Ｂとを対応付けて管理する。ユーザアカウント２１Ａは、タブレット端末１のログインに関わる閲覧者を識別するログイン情報である。ログイン登録時の方向情報２１Ｂは、ユーザアカウントのログイン時に検出したタブレット端末１の方向情報である。ＣＰＵ１８は、図３のユーザ管理ＤＢ２１を参照し、タブレット端末１の現在の向きがＡ方向の場合、方向情報２１Ｂの“Ａ”方向に対応したユーザアカウント２１Ａの“ＡＡＡＡ”の閲覧者と特定できる。
【００１５】
図４は、ファイル管理ＤＢ２２の一例を示す説明図である。図４に示すファイル管理ＤＢ２２は、ユーザアカウント２２Ａと、ファイル２２Ｂと、アトリビュート２２Ｃとを対応付けて管理する。ファイル２２Ｂは、ユーザアカウント２２Ａの閲覧者が利用できる、例えば、画面内容等のファイルである。アトリビュート２２Ｃは、ユーザアカウント２２Ａの閲覧者のシステム全体の各ファイルに対するアクセス権を識別するものである。例えば、アトリビュート２２Ｃには、例えば、３種類のアクセス権があり、アクセス権限の高い順にスーパーバイザ＞グループ＞ユーザがある。スーパーバイザは、例えば、システム内の全てのファイルに対してアクセス権を有する。グループは、例えば、システム内の同一グループ内の全てのファイルに対してアクセス権を有する。ユーザは、例えば、システム内で管理する自分のファイルに対してのみアクセス権を有する。
【００１６】
図５は、タブレット端末１の傾き閾値の一例を示す説明図である。図５の例では、閲覧者Ａは、タブレット端末１の地側の短辺１Ａを自分側のＡ方向に向けて使用している。この際、閲覧者Ａの対面にいる閲覧者Ｃは、例えば、机８０の上面から目の位置までの高さを約４００ｍｍ、タブレット端末１の地側の短辺１Ａから約６００ｍｍ離間しているものとする。傾斜角度αは、タブレット端末１の地側の短辺１Ａを基点に表示部１２の表示画面の水平姿勢に対する表示画面の傾斜角度である。例えば、閲覧者Ａは、閲覧者Ｂ、閲覧者Ｃ及び閲覧者Ｄの位置から表示画面の内容が視認できなくなる位置として、表示部１２の表示画面の傾斜角度を傾き閾値α１、すなわち約３５度以上とした。尚、傾き閾値α１を約３５度としたが、タブレット端末１の画面サイズに応じて適宜変更可能である。
【００１７】
ＣＰＵ１８は、設定部１８Ａと、記憶制御部１８Ｂと、判定部１８Ｃとを有する。設定部１８Ａは、現在の方向情報に対応したユーザアカウント（閲覧者）を特定し、特定したユーザアカウント（閲覧者）の画面を表示部１２に画面表示する。また、記憶制御部１８Ｂは、ログイン登録時のタブレット端末１の方向情報２１Ｂに対応付けて閲覧者のユーザアカウント２１Ａを記憶部１７のユーザ管理ＤＢ２１に登録する。判定部１８Ｃは、表示画面の傾斜角度αが傾き閾値α１、例えば、約３５度以上である否かを判定する。判定部１８Ｃは、傾斜角度αが傾き閾値α１以上でない場合、秘匿性の低い共有画面を表示部１２に画面表示する。図６は、共有画面の一例を示す説明図である。図６の共有画面５１は、例えば、宿泊料金の一覧を画面表示する。また、判定部１８Ｃは、傾斜角度αが傾き閾値α１以上の場合、表示画面を他の閲覧者から隠す行為と判断し、秘匿性の高い個別画面を表示部１２に画面表示する。図７は、個別画面の一例を示す説明図である。図７の個別画面５２は、図６の共有画面５１上に、例えば、当該閲覧者の秘匿性の高いクレジットカードの信用情報５２Ａを入力する画面を画面表示する。
【００１８】
つまり、ＣＰＵ１８は、表示画面の傾斜角度αが傾き閾値α１以上でないと判定された場合、図６に示す共有画面５１を表示部１２に画面表示する。その結果、例えば、閲覧者Ａは、閲覧者Ｂ，Ｃ及びＤからも表示部１２に画面表示した共有画面５１を同時に閲覧できる。しかし、ＣＰＵ１８は、傾斜角度αが傾き閾値α１以上であると判定された場合、閲覧者の秘匿性の高い図７に示す個別画面５２を表示部１２に画面表示する。その結果、閲覧者Ａは、自分の個別画面５２を閲覧できるが、傾斜角度αが傾き閾値α１以上のため、閲覧者Ｂ，Ｃ及びＤからは閲覧者Ａの個別画面５２を閲覧できない。つまり、閲覧者Ａの情報の秘匿性を確保することになる。
【００１９】
図８は、隣接二者の使用態様の一例を示す説明図である。隣接二者、すなわち隣接する２人の閲覧者、例えば、閲覧者Ａ及び閲覧者Ｄ等で両者の個別画面を同時に閲覧できるようにしたタブレット端末１の一機能である。ＣＰＵ１８は、図８に示すように、タブレット端末１の方向情報が、例えば、ＡＤ方向の場合、Ａ方向に対応する閲覧者Ａの個別画面及びＤ方向に対応する閲覧者Ｄの個別画面を含む個別ＡＤ画面を表示部１２に画面表示する。尚、個別ＡＤ画面は、閲覧者Ａ及び閲覧者Ｄの個別画面の情報の内、アクセス権の低い方の閲覧者の個別画面を表示部１２に画面表示する。例えば、閲覧者Ａがスーパーバイザ、閲覧者Ｄがグループの場合、アクセス権の低い閲覧者Ｄの個別画面を個別ＡＤ画面として表示部１２に画面表示する。また、例えば、タブレット端末１の現在の方向情報がＢＣ方向の場合、個別ＢＣ画面を表示部１２に画面表示する。尚、閲覧者Ｂ及び閲覧者Ｃの両者のアクセス権が同一グループであるため、両者の個別画面を個別ＢＣ画面として表示部１２に画面表示する。
【００２０】
図９は、タブレット端末１のソフト動作態様の一例を示す説明図である。タブレット端末１は、図９に示すように、姿勢認識モジュール３１と、入出力モジュール３２と、ユーザ管理モジュール３３とを実行する。姿勢認識モジュール３１は、タブレット端末１の現在の方向情報を取得し、現在の方向情報に対応するログイン中のユーザアカウント（閲覧者）をユーザ管理ＤＢ２１から特定する。更に、姿勢認識モジュール３１は、閲覧者（ユーザアカウント）が特定されると、タブレット端末１の姿勢情報、すなわち傾斜角度αが傾き閾値α１以上であるか否かに基づき、表示部１２に画面表示する閲覧者の画面通知を入出力モジュール３２に指示する。
【００２１】
入出力モジュール３２は、姿勢認識モジュール３１からの画面通知に応じて共有画面、個別画面又はログイン画面をファイル管理ＤＢ２２から読み出し、読み出された共有画面、個別画面又はログイン画面を表示部１２に画面表示する。
【００２２】
ユーザ管理モジュール３３は、閲覧者のログイン要求に応じてログイン画面上で入力したログイン情報をユーザアカウント２１Ａとしてユーザ管理ＤＢ２１に登録する。ユーザ管理モジュール３３は、閲覧者のログイン情報登録後、閲覧者の個別画面の登録要求に応じて閲覧者の個別画面をファイル２２Ｂとしてファイル管理ＤＢ２２に登録する。
【００２３】
次にタブレット端末１の動作について説明する。図１０は、姿勢認識モジュール３１の処理動作の一例を示すフローチャートである。図１０に示す姿勢認識モジュール３１は、タブレット端末１の現在の方向情報及び姿勢情報に対応する閲覧者の画面通知を入出力モジュール３２に指示する処理である。
【００２４】
図１０において姿勢認識モジュール３１は、表示画面の水平姿勢に対する傾斜角度αが傾き閾値α１以上であるか否かを判定する（ステップＳ１１）。姿勢認識モジュール３１は、傾斜角度αが傾き閾値α１以上でない場合（ステップＳ１１否定）、共有画面通知を入出力モジュール３２に通知し（ステップＳ１２）、図１０に示す処理動作を終了する。
【００２５】
また、姿勢認識モジュール３１は、傾斜角度αが傾き閾値α１以上である場合（ステップＳ１１肯定）、タブレット端末１の方向情報がＡ方向であるか否かを判定する（ステップＳ１３）。尚、方向情報は、例えば、タブレット端末１が縦仕様の場合、タブレット端末１の地側の短辺１Ａの向いた方向である。姿勢認識モジュール３１は、タブレット端末１の方向情報がＡ方向である場合（ステップＳ１３肯定）、タブレット端末１の方向情報がＡＢ方向であるか否かを判定する（ステップＳ１４）。姿勢認識モジュール３１は、タブレット端末１の方向情報がＡＢ方向である場合（ステップＳ１４肯定）、個別ＡＢ画面通知を入出力モジュール３２に通知する（ステップＳ１５）。そして、姿勢認識モジュール３１は、図１０に示す処理動作を終了する。
【００２６】
姿勢認識モジュール３１は、タブレット端末１の方向情報がＡＢ方向でない場合（ステップＳ１４否定）、タブレット端末１の方向情報がＡＤ方向であるか否かを判定する（ステップＳ１６）。姿勢認識モジュール３１は、タブレット端末１の方向情報がＡＤ方向である場合（ステップＳ１６肯定）、個別ＡＤ画面通知を入出力モジュール３２に通知する（ステップＳ１７）。そして、姿勢認識モジュール３１は、図１０に示す処理動作を終了する。
【００２７】
姿勢認識モジュール３１は、タブレット端末１の方向情報がＡＤ方向でない場合（ステップＳ１６否定）、個別Ａ画面通知を入出力モジュール３２に通知する（ステップＳ１８）。そして、姿勢認識モジュール３１は、図１０に示す処理動作を終了する。
【００２８】
また、姿勢認識モジュール３１は、タブレット端末１の方向情報がＡ方向でない場合（ステップＳ１３否定）、タブレット端末１の方向情報がＢ方向であるか否かを判定する（ステップＳ１９）。姿勢認識モジュール３１は、タブレット端末１の方向情報がＢ方向である場合（ステップＳ１９肯定）、タブレット端末１の方向情報がＢＣ方向であるか否かを判定する（ステップＳ２０）。姿勢認識モジュール３１は、タブレット端末１の方向情報がＢＣ方向である場合（ステップＳ２０肯定）、個別ＢＣ画面通知を入出力モジュール３２に通知する（ステップＳ２１）。そして、姿勢認識モジュール３１は、図１０に示す処理動作を終了する。
【００２９】
姿勢認識モジュール３１は、タブレット端末１の方向情報がＢＣ方向でない場合（ステップＳ２０否定）、タブレット端末１の方向情報がＡＢ方向であるか否かを判定する（ステップＳ２２）。姿勢認識モジュール３１は、タブレット端末１の方向情報がＡＢ方向である場合（ステップＳ２２肯定）、個別ＡＢ画面通知を入出力モジュール３２に通知する（ステップＳ２３）。そして、姿勢認識モジュール３１は、図１０に示す処理動作を終了する。
【００３０】
姿勢認識モジュール３１は、タブレット端末１の方向情報がＡＢ方向でない場合（ステップＳ２２否定）、個別Ｂ画面通知を入出力モジュール３２に通知する（ステップＳ２４）。そして、姿勢認識モジュール３１は、図１０に示す処理動作を終了する。
【００３１】
また、姿勢認識モジュール３１は、タブレット端末１の方向情報がＢ方向でない場合（ステップＳ１９否定）、タブレット端末１の方向情報がＣ方向であるか否かを判定する（ステップＳ２５）。姿勢認識モジュール３１は、タブレット端末１の方向情報がＣ方向である場合（ステップＳ２５肯定）、タブレット端末１の方向情報がＢＣ方向であるか否かを判定する（ステップＳ２６）。姿勢認識モジュール３１は、タブレット端末１の方向情報がＢＣ方向である場合（ステップＳ２６肯定）、個別ＢＣ画面通知を入出力モジュール３２に通知する（ステップＳ２７）。そして、姿勢認識モジュール３１は、図１０に示す処理動作を終了する。
【００３２】
姿勢認識モジュール３１は、タブレット端末１の方向情報がＢＣ方向でない場合（ステップＳ２６否定）、タブレット端末１の方向情報がＣＤ方向であるか否かを判定する（ステップＳ２８）。姿勢認識モジュール３１は、タブレット端末１の方向情報がＣＤ方向である場合（ステップＳ２８肯定）、個別ＣＤ画面通知を入出力モジュール３２に通知する（ステップＳ２９）。そして、姿勢認識モジュール３１は、図１０に示す処理動作を終了する。
【００３３】
姿勢認識モジュール３１は、タブレット端末１の方向情報がＣＤ方向でない場合（ステップＳ２８否定）、個別Ｃ画面通知を入出力モジュール３２に通知する（ステップＳ３０）。そして、姿勢認識モジュール３１は、図１０に示す処理動作を終了する。
【００３４】
また、姿勢認識モジュール３１は、タブレット端末１の方向情報がＣ方向でない場合（ステップＳ２５否定）、タブレット端末１の方向情報がＤ方向であるか否かを判定する（ステップＳ３１）。姿勢認識モジュール３１は、タブレット端末１の方向情報がＤ方向である場合（ステップＳ３１肯定）、タブレット端末１の方向情報がＡＤ方向であるか否かを判定する（ステップＳ３２）。姿勢認識モジュール３１は、タブレット端末１の方向情報がＡＤ方向である場合（ステップＳ３２肯定）、個別ＡＤ画面通知を入出力モジュール３２に通知する（ステップＳ３３）。そして、姿勢認識モジュール３１は、図１０に示す処理動作を終了する。
【００３５】
姿勢認識モジュール３１は、タブレット端末１の方向情報がＡＤ方向でない場合（ステップＳ３２否定）、タブレット端末１の方向情報がＣＤ方向であるか否かを判定する（ステップＳ３４）。姿勢認識モジュール３１は、タブレット端末１の方向情報がＣＤ方向である場合（ステップＳ３４肯定）、個別ＣＤ画面通知を入出力モジュール３２に通知する（ステップＳ３５）。そして、姿勢認識モジュール３１は、図１０に示す処理動作を終了する。
【００３６】
姿勢認識モジュール３１は、タブレット端末１の方向情報がＣＤ方向でない場合（ステップＳ３４否定）、個別Ｄ画面通知を入出力モジュール３２に通知する（ステップＳ３６）。そして、姿勢認識モジュール３１は、図１０に示す処理動作を終了する。
【００３７】
姿勢認識モジュール３１は、表示画面の傾斜角度αが傾き閾値α１以上でない場合、共有画面通知を入出力モジュール３２に通知する。
【００３８】
更に、姿勢認識モジュール３１は、傾斜角度αが傾き閾値α１以上、かつ、タブレット端末１の方向情報がＡ方向の場合、閲覧者Ａの個別Ａ画面通知を入出力モジュール３２に通知する。
【００３９】
更に、姿勢認識モジュール３１は、傾斜角度αが傾き閾値α１以上、かつ、タブレット端末１の方向情報がＡＢ方向の場合、閲覧者Ａ及び閲覧者Ｂの個別ＡＢ画面通知を入出力モジュール３２に通知する。
【００４０】
更に、姿勢認識モジュール３１は、傾斜角度αが傾き閾値α１以上、かつ、タブレット端末１の方向情報がＡＤ方向の場合、閲覧者Ａ及び閲覧者Ｄの個別ＡＤ画面通知を入出力モジュール３２に通知する。
【００４１】
更に、姿勢認識モジュール３１は、傾斜角度αが傾き閾値α１以上、かつ、タブレット端末１の方向情報がＢ方向の場合、閲覧者Ｂの個別Ｂ画面通知を入出力モジュール３２に通知する。
【００４２】
更に、姿勢認識モジュール３１は、傾斜角度αが傾き閾値α１以上、かつ、タブレット端末１の方向情報がＢＣ方向の場合、閲覧者Ｂ及び閲覧者Ｃの個別ＢＣ画面通知を入出力モジュール３２に通知する。
【００４３】
更に、姿勢認識モジュール３１は、傾斜角度αが傾き閾値α１以上、かつ、タブレット端末１の方向情報がＣ方向の場合、閲覧者Ｃの個別Ｃ画面通知を入出力モジュール３２に通知する。
【００４４】
更に、姿勢認識モジュール３１は、傾斜角度αが傾き閾値α１以上、かつ、タブレット端末１の方向情報がＣＤ方向の場合、閲覧者Ｃ及び閲覧者Ｄの個別ＣＤ画面通知を入出力モジュール３２に通知する。
【００４５】
更に、姿勢認識モジュール３１は、傾斜角度αが傾き閾値α１以上、かつ、タブレット端末１の方向情報がＤ方向の場合、閲覧者Ｄの個別Ｄ画面通知を入出力モジュール３２に通知する。
【００４６】
図１１は、入出力モジュール３２の処理動作の一例を示すフローチャートである。図１１に示す入出力モジュール３２は、姿勢認識モジュール３１からの画面通知や現在のログイン状態に基づき、個別画面、共有画面やログイン画面等の各種画面を表示部１２に画面表示する処理である。図１１に示す入出力モジュール３２は、共有画面通知を受信したか否かを判定する（ステップＳ４１）。入出力モジュール３２は、共有画面通知を受信した場合（ステップＳ４１肯定）、表示部１２の画面表示中の個別画面を消去し（ステップＳ４２）、共有画面を表示部１２に画面表示し（ステップＳ４３）、図１１に示す処理動作を終了する。尚、ステップＳ４２の処理は、表示部１２に画面表示中の個別画面がない場合、そのまま、ステップＳ４３に移行する。
【００４７】
入出力モジュール３２は、共有画面通知を受信しなかった場合（ステップＳ４１否定）、個別Ａ画面通知を受信したか否かを判定する（ステップＳ４４）。入出力モジュール３２は、個別Ａ画面通知を受信した場合（ステップＳ４４肯定）、ユーザ管理ＤＢ２１の閲覧者Ａ（ユーザアカウント２１Ａ）に対応した方向情報２１Ｂの登録有無を参照し、ログイン済みであるか否かを判定する（ステップＳ４５）。入出力モジュール３２は、方向情報２１Ｂの登録済み、すなわちログイン済みである場合（ステップＳ４５肯定）、閲覧者Ａの個別Ａ画面を表示部１２に画面表示し（ステップＳ４６）、図１１に示す処理動作を終了する。尚、閲覧者Ａは、個別Ａ画面を閲覧できる。閲覧者Ｂ，Ｃ及びＤは、表示画面の傾斜角度αが傾き閾値α１以上であるため、個別Ａ画面を閲覧できない状態にある。
【００４８】
また、入出力モジュール３２は、方向情報２１Ｂの未登録、すなわちログイン済みでない場合（ステップＳ４５否定）、ログイン画面を表示部１２に画面表示し（ステップＳ４７）、図１１に示す処理動作を終了する。尚、閲覧者Ａは、ログイン画面を閲覧してログイン入力を実行できる。
【００４９】
入出力モジュール３２は、個別Ａ画面通知を受信しなかった場合（ステップＳ４４否定）、個別Ｂ画面通知を受信したか否かを判定する（ステップＳ４８）。入出力モジュール３２は、個別Ｂ画面通知を受信した場合（ステップＳ４８肯定）、ユーザ管理ＤＢ２１の閲覧者Ｂに対応した方向情報２１Ｂの登録有無を参照し、ログイン済みであるか否かを判定する（ステップＳ４９）。入出力モジュール３２は、ログイン済みである場合（ステップＳ４９肯定）、個別Ｂ画面を表示部１２に画面表示し（ステップＳ５０）、図１１に示す処理動作を終了する。尚、閲覧者Ｂは、個別Ｂ画面を閲覧できる。閲覧者Ａ，Ｃ及びＤは、表示画面の傾斜角度αが傾き閾値α１以上であるため、個別Ｂ画面を閲覧できない状態にある。
【００５０】
また、入出力モジュール３２は、ログイン済みでない場合（ステップＳ４９否定）、ログイン画面を表示部１２に画面表示し（ステップＳ５１）、図１１に示す処理動作を終了する。尚、閲覧者Ｂは、ログイン画面を閲覧してログイン入力を実行できる。
【００５１】
入出力モジュール３２は、個別Ｂ画面通知を受信しなかった場合（ステップＳ４８否定）、個別Ｃ画面通知を受信したか否かを判定する（ステップＳ５２）。入出力モジュール３２は、個別Ｃ画面通知を受信した場合（ステップＳ５２肯定）、ユーザ管理ＤＢ２１の閲覧者Ｃに対応した方向情報２１Ｂの登録有無を参照し、ログイン済みであるか否かを判定する（ステップＳ５３）。入出力モジュール３２は、ログイン済みである場合（ステップＳ５３肯定）、個別Ｃ画面を表示部１２に画面表示し（ステップＳ５４）、図１１に示す処理動作を終了する。尚、閲覧者Ｃは、個別Ｃ画面を閲覧できる。閲覧者Ａ，Ｂ及びＤは、表示画面の傾斜角度αが傾き閾値α１以上であるため、個別Ｃ画面を閲覧できない状態にある。
【００５２】
また、入出力モジュール３２は、ログイン済みでない場合（ステップＳ５３否定）、ログイン画面を表示部１２に画面表示し（ステップＳ５５）、図１１に示す処理動作を終了する。尚、閲覧者Ｃは、ログイン画面を閲覧してログイン入力を実行できる。
【００５３】
入出力モジュール３２は、個別Ｃ画面通知を受信しなかった場合（ステップＳ５２否定）、個別Ｄ画面通知を受信したか否かを判定する（ステップＳ５６）。入出力モジュール３２は、個別Ｄ画面通知を受信した場合（ステップＳ５６肯定）、ユーザ管理ＤＢ２１の閲覧者Ｄに対応した方向情報２１Ｂの登録有無を参照し、ログイン済みであるか否かを判定する（ステップＳ５７）。入出力モジュール３２は、ログイン済みである場合（ステップＳ５７肯定）、個別Ｄ画面を表示部１２に画面表示し（ステップＳ５８）、図１１に示す処理動作を終了する。尚、閲覧者Ｄは、個別Ｄ画面を閲覧できる。閲覧者Ａ，Ｂ及びＣは、表示画面の傾斜角度αが傾き閾値α１以上であるため、個別Ｄ画面を閲覧できない状態にある。
【００５４】
また、入出力モジュール３２は、ログイン済みでない場合（ステップＳ５７否定）、ログイン画面を表示部１２に画面表示し（ステップＳ５９）、図１１に示す処理動作を終了する。尚、閲覧者Ｄは、ログイン画面を閲覧してログイン入力を実行できる。
【００５５】
入出力モジュール３２は、個別Ｄ画面通知を受信しなかった場合（ステップＳ５６否定）、複数個別画面通知を受信したか否かを判定する（ステップＳ６０）。尚、複数個別画面とは、例えば、個別ＡＢ画面、個別ＢＣ画面、個別ＣＤ画面及び個別ＡＤ画面である。入出力モジュール３２は、複数個別画面通知を受信した場合（ステップＳ６０肯定）、複数個別画面を表示部１２に画面表示し（ステップＳ６１）、図１１に示す処理動作を終了する。尚、複数個別画面は、ファイル管理ＤＢ２２内の閲覧者（ユーザアカウント２２Ａ）に対応したアトリビュート２２Ｃのアクセス権に応じた画面内容となる。また、入出力モジュール３２は、複数個別画面通知を受信しなかった場合（ステップＳ６０否定）、図１１に示す処理動作を終了する。
【００５６】
入出力モジュール３２は、共有画面通知を受信した場合、共有画面を表示部１２に画面表示する。その結果、各閲覧者は、共有画面を閲覧できる。
【００５７】
入出力モジュール３２は、個別Ａ画面通知を受信した場合、個別Ａ画面を表示部１２に画面表示する。その結果、閲覧者Ａは、閲覧者Ａの個別画面を閲覧できる。
【００５８】
入出力モジュール３２は、個別Ｂ画面通知を受信した場合、個別Ｂ画面を表示部１２に画面表示する。その結果、閲覧者Ｂは、閲覧者Ｂの個別画面を閲覧できる。
【００５９】
入出力モジュール３２は、個別Ｃ画面通知を受信した場合、個別Ｃ画面を表示部１２に画面表示する。その結果、閲覧者Ｃは、閲覧者Ｃの個別画面を閲覧できる。
【００６０】
入出力モジュール３２は、個別Ｄ画面通知を受信した場合、個別Ｄ画面を表示部１２に画面表示する。その結果、閲覧者Ｄは、閲覧者Ｄの個別画面を閲覧できる。
【００６１】
入出力モジュール３２は、複数個別画面通知を受信した場合、複数個別画面を表示部１２に画面表示する。その結果、隣接する二人の閲覧者は、両者のアクセス権に応じた個別画面、例えば、個別ＡＢ画面、個別ＢＣ画面、個別ＣＤ画面又は個別ＡＤ画面等を同時に閲覧できる。
【００６２】
図１２は、ユーザ管理モジュール３３の処理動作の一例を示すフローチャートである。図１２に示すユーザ管理モジュール３３は、ログイン要求に応じて閲覧者の個別画面をファイル管理ＤＢ２２に登録する処理である。図１２に示すユーザ管理モジュール３３は、ログイン要求を検出したか否かを判定する（ステップＳ７１）。
【００６３】
ユーザ管理モジュール３３は、ログイン要求を検出した場合（ステップＳ７１肯定）、ユーザ管理ＤＢ２１の方向情報２１Ｂを参照し、ログインの空きがあるか否かを判定する（ステップＳ７２）。尚、タブレット端末１のログイン可能人数は、例えば、Ａ方向、Ｂ方向、Ｃ方向及びＤ方向の各方向に対応した４人である。
【００６４】
ユーザ管理モジュール３３は、全ての４方向の方向情報２１Ｂが登録済みでなく、ログインの空きがある場合（ステップＳ７２肯定）、ログイン画面上で入力したログイン情報（ユーザアカウント）があるか否かを判定する（ステップＳ７３）。ユーザ管理モジュール３３は、ログイン情報があった場合（ステップＳ７３肯定）、ログイン情報をユーザアカウント２１Ａとしてユーザ管理ＤＢ２１に登録する（ステップＳ７４）。尚、ユーザ管理モジュール３３は、ユーザアカウント２１Ａに対応付けて現在の方向情報を方向情報２１Ｂとしてユーザ管理ＤＢ２１に登録する。ユーザ管理モジュール３３は、閲覧者に対応した個別画面があるか否かを判定する（ステップＳ７５）。
【００６５】
ユーザ管理モジュール３３は、閲覧者に対応した個別画面がある場合（ステップＳ７５肯定）、閲覧者のユーザアカウント２２Ａに対応付けて個別画面のファイル２２Ｂをファイル管理ＤＢ２２に登録し（ステップＳ７６）、図１２に示す処理動作を終了する。尚、ユーザ管理モジュール３３は、閲覧者のユーザアカウント２２Ａに対応付けて閲覧者のアクセス権をアトリビュート２２Ｃとしてファイル管理ＤＢ２２に登録する。
【００６６】
ユーザ管理モジュール３３は、ログイン要求を検出しなかった場合（ステップＳ７１否定）、図１２に示す処理動作を終了する。ユーザ管理モジュール３３は、ログインの空きがない場合（ステップＳ７２否定）、ステップＳ７１で検出したログイン要求を解除し（ステップＳ７７）、ログイン情報があるか否かを判定すべく、ステップＳ７３に移行する。
【００６７】
ユーザ管理モジュール３３は、ログイン情報がない場合（ステップＳ７３否定）、閲覧者に対応した個別画面があるか否かを判定すべく、ステップＳ７５に移行する。
【００６８】
ユーザ管理モジュール３３は、ログイン要求を検出し、ログインの空きがある場合、ログイン情報のユーザアカウント２１Ａと、ログイン時のタブレット端末１の方向情報２１Ｂとを対応付けてユーザ管理ＤＢ２１に登録する。その結果、タブレット端末１は、タブレット端末１の方向情報に対応付けてログイン閲覧者のユーザアカウントを登録できる。
【００６９】
更に、ユーザ管理モジュール３３は、閲覧者の個別画面がある場合、閲覧者のユーザアカウント２２Ａに対応付けて、閲覧者の個別画面をファイル２２Ｂとしてファイル管理ＤＢ２２に登録する。その結果、タブレット端末１は、ユーザアカウント２２Ａに対応付けて個別画面のファイル２２Ｂを登録できる。
【００７０】
本実施例のタブレット端末１は、閲覧者のユーザアカウントと、ログイン時の方向情報と、閲覧者の画面のファイルとを対応付けて記憶部１７に記憶した。そして、タブレット端末１は、タブレット端末１の現在の方向情報が取得されると、当該方向情報に対応したユーザアカウントを特定し、特定されたユーザアカウントの閲覧者に対応する画面のファイルを記憶部１７から読み出す。そして、タブレット端末１は、読み出された画面のファイルを表示部１２に画面表示する。その結果、閲覧者は、タブレット端末１の方向情報に応じて自分の画面を閲覧できる。
【００７１】
更に、タブレット端末１は、複数の方向情報に対応付けて閲覧者のログイン情報（ユーザアカウント）を登録できるため、１台のタブレット端末１で複数の閲覧者、例えば４人の閲覧者がログインできる。
【００７２】
しかも、タブレット端末１は、表示部１２の表示画面を水平姿勢にした場合、ログイン中の閲覧者の共有画面を表示部１２に画面表示する。その結果、ログイン中の閲覧者は、１台のタブレット端末１で共有画面を同時に閲覧できる。しかも、タブレット端末１は、方向情報及び姿勢情報に対応付けて閲覧者の個別画面及び共有画面を表示部１２に切替表示可能にしたので、１台のタブレット端末１で複数人のポーカー等の対戦ゲームが可能となる。
【００７３】
タブレット端末１は、閲覧者のログイン情報をユーザアカウントとしてユーザ管理ＤＢ２１にログイン登録する際、閲覧者のユーザアカウントに対応付けてログイン登録時のタブレット端末１の方向情報をユーザ管理ＤＢ２１に登録した。その結果、閲覧者は、ログイン登録時の方向情報を登録できる。
【００７４】
タブレット端末１は、表示画面の傾斜角度αが傾き閾値α１以上でない場合、当該方向情報に対応した閲覧者の共有画面を表示部１２に画面表示する。その結果、閲覧者は、表示部１２に画面表示された共有画面を同時に閲覧できる。
【００７５】
タブレット端末１は、表示画面の傾斜角度αが傾き閾値α１以上である場合、当該方向情報に対応した閲覧者の個別画面を記憶部１７から読み出し、読み出した閲覧者の個別画面を表示部１２に画面表示する。その結果、表示画面を傾き閾値α１以上、自分側に傾けた閲覧者は、自分の個別画面を閲覧できるのに対し、他の閲覧者は、その画面表示された個別画面の内容を閲覧できない。
【００７６】
また、タブレット端末１は、基準方位に対して略０度（Ａ方向）、略９０度（Ｂ方向）、略１８０度（Ｃ方向）及び略２７０度（Ｄ方向）の方向情報に対応付けてログイン情報（ユーザアカウント）を記憶部１７に記憶可能にした。更に、タブレット端末１は、閲覧者のユーザアカウント毎に、システム内のファイルに対するアクセス権をアトリビュートとして対応付けてファイル管理ＤＢ２２内に記憶した。そして、タブレット端末１は、略４５度（ＡＢ方向）、略１３５度（ＢＣ方向）、略２２５度（ＣＤ方向）又は略３１５度（ＡＤ方向）の方向情報が取得され、傾斜角度αは傾き閾値α１以上となると、複数個別画面を表示部１２に画面表示する。すなわち、タブレット端末１は、これら隣接する閲覧者の内、アクセス権が低い方の閲覧者のアクセス権に応じた両者の個別画面を表示部１２に画面表示する。その結果、隣接する両閲覧者は、アクセス権に応じた複数個別画面、例えば、個別ＡＢ画面、個別ＢＣ画面、個別ＣＤ画面や個別ＡＤ画面等を同時に閲覧できる。
【００７７】
尚、上記実施例では、タブレット端末１の特定辺の向きを相対的な基準方位とし、この基準方位をタブレット端末１の方向情報としたが、例えば、タブレット端末１を中心とする通常の方位で当該タブレット端末１の方向情報としても良い。
【００７８】
また、上記実施例では、タブレット端末１を縦仕様で使用した場合、タブレット端末１の短辺１Ａの地側をタブレット端末１の基準方位としたが、横仕様で使用した場合、タブレット端末１の長辺１Ｂの地側をタブレット端末１の基準方位とする。
【００７９】
また、上記実施例のタブレット端末１は、閲覧者のユーザアカウントと、方向情報と、閲覧者の画面のファイルとを対応付けて記憶部１７に記憶した。しかしながら、ユーザアカウント、方向情報及び閲覧者の画面の他に、表示画面の水平姿勢に対する表示画面の傾斜角度を対応付けて記憶部１７に記憶しても良い。この場合、タブレット端末１は、方向情報及び傾斜角度に対応付けて閲覧者のユーザアカウント又は画面を特定できる。
【００８０】
また、上記実施例のタブレット端末１は、閲覧者のユーザアカウントに対応した画面（個別画面又は共有画面）をファイル２２Ｂとしてファイル管理ＤＢ２２に登録した。しかしながら、画面ではなく、アプリケーションに使用する画面環境をファイル２２Ｂとしてファイル管理ＤＢ２２に管理しても良い。この場合、タブレット端末１は、傾斜角度αが傾き閾値α１以上の場合にのみ、当該アプリケーションが使用可能な画面環境に設定する。
【００８１】
また、上記実施例のタブレット端末１は、画面をファイル２２Ｂとしてファイル管理ＤＢ２２に管理したが、画面ではなく、利用可能なアプリケーションをファイル２２Ｂとして管理しても良い。この場合、タブレット端末１は、傾斜角度αが傾き閾値α１以上の場合にのみ、当該アプリケーションを使用できる。
【００８２】
また、上記実施例のタブレット端末１は、ログイン中の隣接する２者の閲覧者の内、アクセス権が低い方のアクセス権に対応した個別画面を複数個別画面として表示部１２に画面表示した。しかしながら、閲覧者のアクセス権に関係なく、ログイン順序の速い方の閲覧者のアクセス権に対応した個別画面を複数個別画面として表示部１２に画面表示しても良い。
【００８３】
また、上記実施例のタブレット端末１は、ファイル毎に情報のセキュリティレベルを管理しておき、隣接する２者の閲覧者で複数個別画面を閲覧する際、そのセキュリティレベルに応じた個別画面を複数個別画面として表示部１２に画面表示しても良い。
【００８４】
また、上記実施例のタブレット端末１は、画面等をファイル２２Ｂとしてファイル管理ＤＢ２２内に管理したが、記憶部１７内の別格納領域に当該画面等のファイルを格納しても良い。
【００８５】
また、上記実施例のタブレット端末１は、加速度センサ１４の代わりに、ジャイロセンサ１６を使用しても良い。
【００８６】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００８７】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００８８】
ところで、本実施例で説明した各種の処理は、予め用意されたプログラムをコンピュータで実行することによって実現することができる。そこで、以下では、上記実施例と同様の機能を有するプログラムを実行する携帯端末装置の一例を説明する。図１３は、情報表示プログラムを実行する携帯端末装置を示す説明図である。
【００８９】
図１３に示す情報表示プログラムを実行する携帯端末装置１００では、ＨＤＤ（Hard  Disk  Drive）１１０、ＲＡＭ(Random  Access  Memory)１２０、ＲＯＭ（Read  Only  Memory）１３０及びＣＰＵ１４０を有する。更に、携帯端末装置１００は、操作部１５０、表示部１６０、通信部１７０及び方位センサ１８０を有する。そして、携帯端末装置１００は、ＨＤＤ１１０、ＲＡＭ１２０、ＲＯＭ１３０、ＣＰＵ１４０、操作部１５０、表示部１６０、通信部１７０及び方位センサ１８０がバス１９０を介して接続される。
【００９０】
そして、ＨＤＤ１１０には、上記実施例と同様の機能を発揮する情報表示プログラムが予め記憶されている。尚、ＨＤＤ１１０ではなく、ＲＯＭ１３０や、図示せぬドライブでコンピュータ読取可能な記録媒体に情報表示プログラムが記録されていても良い。また、記録媒体としては、例えば、ＣＤ−ＲＯＭ、ＤＶＤディスク、ＵＳＢメモリ等の可搬型記録媒体、フラッシュメモリ等の半導体メモリ等でも良い。情報表示プログラムとしては、図１３に示すように、方向取得プログラム１１０Ａ、登録プログラム１１０Ｂ及び設定プログラム１１０Ｃである。尚、プログラム１１０Ａ、１１０Ｂ及び１１０Ｃについては、図１に示したタブレット端末１の各構成要素と同様、適宜統合又は分散してもよい。
【００９１】
そして、ＣＰＵ１４０が、これらのプログラム１１０Ａ、１１０Ｂ及び１１０ＣをＨＤＤ１１０から読み出してＲＡＭ１２０上で実行する。そして、図１３に示すように、各プログラム１１０Ａ、１１０Ｂ及び１１０Ｃは、ＲＡＭ１２０上で方向取得プロセス１２０Ａ、登録プロセス１２０Ｂ及び設定プロセス１２０Ｃとして機能するようになる。
【００９２】
ＣＰＵ１４０は、方位センサ１８０を通じて現在の方向情報を取得する。ＣＰＵ１４０は、方向情報と画面のファイルとを対応付けてＨＤＤ１１０に登録する。ＣＰＵ１４０は、該装置本体の方向情報が取得されると、当該方向情報に対応した画面のファイルをＨＤＤ１１０から読み出す。更に、ＣＰＵ１４０は、読み出された画面を表示部１６０に画面表示する。その結果、方向情報に応じた閲覧者毎の情報の秘匿性を確保できる。
【符号の説明】
【００９３】
１  タブレット端末
１２  表示部
１４  加速度センサ
１５  方位センサ
１７  記憶部
１８  ＣＰＵ
１８Ａ  設定部
１８Ｂ  記憶制御部
１８Ｃ  判定部
【図１】
0006024789.tif 000002
【図２】
0006024789.tif 000003
【図３】
0006024789.tif 000004
【図４】
0006024789.tif 000005
【図５】
0006024789.tif 000006
【図６】
0006024789.tif 000007
【図７】
0006024789.tif 000008
【図８】
0006024789.tif 000009
【図９】
0006024789.tif 000010
【図１０】
0006024789.tif 000011
【図１１】
0006024789.tif 000012
【図１２】
0006024789.tif 000013
【図１３】
0006024789.tif 000014